(57)【要約】【課題】遊技制御基板に対する不正行為を防止すると共に、不正行為が行われた場合に、不正行為がされたことを容易かつ確実に判明できる遊技機を提供する。【解決手段】金属製のスプリングピン２３２が第２フランジ部２２４の第２挿入孔２２６の開口部２２８から圧入され、第１挿入孔２２２及び第２挿入孔２２６の内部に介在する。また同時に、スプリングピン２３２の内径側には樹脂製のキャップ部材２３４が圧入され、このキャップ部材２３４が第１挿入孔２２２から第２挿入孔２２６にかけて介在している。【選択図】      図１３
2009165644.tif 000002
【特許請求の範囲】
【請求項１】
遊技を制御する遊技制御基板と、前記遊技制御基板を収容するための遊技制御基板収容部材と、を備えた遊技機であって、
前記遊技制御基板収容部材は、
前記遊技制御基板を保持する収容部材本体と、
前記収容部材本体に設けられ第１孔部を備えた第１鍔部材と、
前記収容部材本体と接合して前記収容部材本体との間で前記遊技制御基板を囲むように覆う収容部材蓋体と、
前記収容部材蓋体に設けられ前記収容部材本体と前記収容部材蓋体とが接合された状態で前記第１孔部と連通する第２孔部を備えた第２鍔部材と、
相互に連通した前記第１孔部と前記第２孔部に挿入されて前記収容部材本体と前記収容部材蓋体との接合状態を維持させる固着具と、
を有し、
前記固着具は、
前記第１孔部又は前記第２孔部の開口部から圧入され前記第１孔部及び前記第２孔部に介在する金属製の筒状部材と、
前記筒状部材の内径側に圧入される樹脂製のキャップ部材と、
を有することを特徴とする遊技機。
【請求項２】
前記筒状部材は、外部から作用する圧力に応じて径方向寸法が変化するものであり、
前記第１孔部又は前記第２孔部には、前記第１孔部及び前記第２孔部に介在した状態で径方向外側に広がる前記筒状部材と係合して前記第１孔部又は前記第２孔部の前記開口部からの前記筒状部材の取り出しを阻止する係合部材が形成されていることを特徴とする請求項１に記載の遊技機。
【請求項３】
前記キャップ部材は、前記筒状部材の内径側に圧入され前記筒状部材の内部に介在する圧入部材と、前記圧入部材に接続され前記筒状部材が圧入されている前記第１孔部又は前記第２孔部の前記開口部を覆うカバー部材と、で構成されていることを特徴とする請求項１又は２に記載の遊技機。
【発明の詳細な説明】
【技術分野】
【０００１】
本発明は、遊技球や遊技メダルなどの遊技媒体を用いた遊技を制御する遊技制御基板と、遊技制御基板を収容するための遊技制御基板収容部材と、を備えたパチンコ機やスロットマシンなどの遊技機に関する。
【背景技術】
【０００２】
従来から、遊技機には、遊技を制御する遊技制御基板（例えば、主制御基板や払出制御基板）などを収容するための収容ケースが遊技盤の裏面や遊技機筐体の裏面に取り付けられている。この収容ケースは、遊技制御基板を保持するケース本体と、ケース本体と接合されるケースカバーと、で構成されている。そして、ケース本体とケースカバーとは、ワンウエイビスなどの固着具で固着されることにより相互に結合されている。
【特許文献１】特許第３８６０４７９号特許公報
【特許文献２】特開２００４−１１３５２６号公報
【発明の開示】
【発明が解決しようとする課題】
【０００３】
ところで、ワンウエイビスで固着してケース本体とケースカバーとを結合させる方法では、特殊な専用工具を用いることにより、痕跡を残すことなく、ワンウエイビスを取り外すことができる。そして、ケース本体とケースカバーとを分離させ、内部に収容された遊技制御基板を取り出して、遊技制御基板に対して不正な行為を施し、再び、遊技制御基板をケース本体に戻して、ケース本体とケースカバーをワンウエイビスで結合させることができる。
【０００４】
このような不正行為が行われると、不正行為の痕跡がないため、不正行為に気付くことが困難となり、不正行為が行われた遊技制御基板で遊技が開始されることになる。この結果、不正な遊技が進行するという問題が生じる。
【０００５】
そこで、本発明は、遊技制御基板に対する不正行為を防止すると共に、不正行為が行われた場合でも、不正行為がされたことを容易かつ確実に発見できる遊技機を提供することを目的とする。
【課題を解決するための手段】
【０００６】
請求項１に記載の発明は、遊技を制御する遊技制御基板と、前記遊技制御基板を収容するための遊技制御基板収容部材と、を備えた遊技機であって、前記遊技制御基板収容部材は、前記遊技制御基板を保持する収容部材本体と、前記収容部材本体に設けられ第１孔部を備えた第１鍔部材と、前記収容部材本体と接合して前記収容部材本体との間で前記遊技制御基板を囲むように覆う収容部材蓋体と、前記収容部材蓋体に設けられ前記収容部材本体と前記収容部材蓋体とが接合された状態で前記第１孔部と連通する第２孔部を備えた第２鍔部材と、相互に連通した前記第１孔部と前記第２孔部に挿入されて前記収容部材本体と前記収容部材蓋体との接合状態を維持させる固着具と、を有し、前記固着具は、前記第１孔部又は前記第２孔部の開口部から圧入され前記第１孔部及び前記第２孔部に介在する金属製の筒状部材と、前記筒状部材の内径側に圧入される樹脂製のキャップ部材と、を有することを特徴とする。
【０００７】
請求項１に記載の発明によれば、金属製の筒状部材が第１鍔部材の第１孔部又は第２鍔部材の第２孔部の開口部から圧入され、第１孔部及び第２孔部の内部に介在する。ここで、筒状部材は、第１孔部及び第２孔部に圧入されているので、筒状部材を第１孔部及び第２孔部から取り出すことが困難になる。この結果、遊技制御基板収容部材の内部に収容された遊技制御基板を取り出し難くなり、不正行為を防止できる。
【０００８】
また同時に、筒状部材の内径側には樹脂製のキャップ部材が圧入されているため、金属製の筒状部材を取り出す前には、樹脂製のキャップ部材を筒状部材から取り外す必要がある。ここで、キャップ部材は、金属と比較して強度の低い樹脂であるため、筒状部材に圧入されているキャップ部材を力まかせに強引に引き抜こうとすると、キャップ部材が容易に破断あるいは破損して、その痕跡が残る。そして、キャップ部材が破断あるいは破損した場合には、不正行為が行われた事実を容易かつ確実に発見することができる。さらに、筒状部材の内径側には、破断あるいは破損したキャップ部材の残骸が残り、その残骸で筒状部材の内径が塞がるため、筒状部材の第１孔部及び第２孔部からの取り外しがさらに困難になる。
【０００９】
以上のように、固着具を金属製の筒状部材と樹脂製のキャップ部材のように材質の異なる２つの部材で構成することにより、遊技制御基板を遊技制御基板収容部材から不正に取り出されることを防止でき、また、その抑止力を発揮させることができる。加えて、遊技制御基板を遊技制御基板収容部材から取り出そうとした場合には、樹脂製のキャップ部材が破断あるいは破損することになり、不正行為の痕跡が確実に残ることになる。この結果、不正行為の事実を容易かつ確実に発見することができる。
【００１０】
請求項２に記載の発明は、請求項１に記載の遊技機において、前記筒状部材は、外部から作用する圧力に応じて径方向寸法が変化するものであり、前記第１孔部又は前記第２孔部には、前記第１孔部及び前記第２孔部に介在した状態で径方向外側に広がる前記筒状部材と係合して前記第１孔部又は前記第２孔部の前記開口部からの前記筒状部材の取り出しを阻止する係合部材が形成されていることを特徴とする。
【００１１】
請求項２に記載の発明によれば、筒状部材が第１孔部及び第２孔部に圧入されて径方向外側に広がることにより、筒状部材と係合部材とが係合して、第１孔部又は第２孔部の開口部からの筒状部材の取り出しが阻止される。これにより、筒状部材を第１孔部及び第２孔部から取り出すことができなくなり、収容部材本体と収容部材蓋体とを分離（離間）させることができなくなる。この結果、遊技制御基板に対する不正行為を防止できる。
【００１２】
請求項３に記載の発明は、請求項１又は２に記載の遊技機において、前記キャップ部材は、前記筒状部材の内径側に圧入され前記筒状部材の内部に介在する圧入部材と、前記圧入部材に接続され前記筒状部材が圧入されている前記第１孔部又は前記第２孔部の前記開口部を覆うカバー部材と、で構成されていることを特徴とする。
【００１３】
請求項３に記載の発明によれば、遊技制御基板に対する不正行為の際に、キャップ部材を筒状部材から取り出す場合には、カバー部材を把持して、そのまま引き抜くか、あるいはカバー部材を左右に捻りながら引き抜くことになる。カバー部材をそのまま引き抜くと、強度の低い樹脂製のカバー部材及び圧入部材に大きな引張応力が作用して、カバー部材又は圧入部材のいずれかの部位で破断や破損が生じるため、遊技制御基板に対する不正行為がし難くなる。また、カバー部材を左右に捻った場合には、カバー部材及び圧入部材にはねじりモーメントが作用して、カバー部材又は圧入部材のいずれかの部位が捻断するため、遊技制御基板に対する不正行為がし難くなる。この結果、遊技制御基板に対する不正行為を防止することができるとともに、不正行為を未然に諦めさせる抑止力の効果も発揮させることができる。さらには、不正行為が実行されると不正行為の痕跡が必ず残るため、不正行為を容易に発見することができる。
【発明を実施するための最良の形態】
【００１４】
（第１実施形態）
次に、本発明の第１実施形態に係る遊技機について、図面を参照して説明する。なお、本実施形態では本発明を弾球遊技機の一例であるパチンコ機の遊技制御基板収容ケースに適用した構成を説明するが、スロットマシンの遊技制御基板を収容するための遊技制御基板収容ケースに対しても容易に適用することができる。
【００１５】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４などが設けられている。
【００１６】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００１７】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００１８】
また、前面枠１６の下方側には、上皿部１８が設けられている。この上皿部１８には、演出ボタン４０と、球貸操作部１５５と、がそれぞれ設けられている。
【００１９】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００２０】
また、下皿部２０の左右下方側には、所定の効果音を出力するための各サブスピーカ４８がそれぞれ設けられている。
【００２１】
また、内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００２２】
さらに、パチンコ機１０の正面左側には、球貸装置（遊技媒体貸出部）１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２３】
また、球貸操作部１５５には、球貸しを要求するための球貸スイッチ（貸出操作手段）１５６、カード挿入口１５７に挿入されたプリペイドカードの返却を要求するための返却スイッチ１５８と、がそれぞれ設けられている。
【００２４】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数から消費税に相当する個数が引かれて、遊技球（貸球）が払出装置（遊技媒体払出手段）１６１から上皿部１８に案内される。このとき、例えば、プリペイドカードの残り度数が減算されて「０」となった場合には、カード挿入口１５７から自動的にプリペイドカードが返却される。
【００２５】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数から消費税に相当する個数が引かれて、遊技球（貸球）が払出装置１６１から上皿部１８に案内される。
【００２６】
図２に示すように、パチンコ機１０の内枠１４には、遊技盤２６の背面側を覆うように裏機構盤２００が取り付けられている。この裏機構盤２００には、主として、払出制御基板１０４を収容した払出制御基板ケースセット２０２と、発射制御基板１０８を収容した発射制御基板ケースセット２０４と、パチンコ機１０に対して電源を供給する電源基板２０６を収容した電源基板ケースセット２０８と、がそれぞれ取り付けられている。これらの各基板ケースセット２０２、２０４、２０８は、組み付け後に、外枠１２を通してパチンコ機１０の背面側に突出するように構成されている。
【００２７】
次に、遊技盤２６の表面構造について説明する。
【００２８】
図３に示すように、遊技盤２６は、内枠１４に保持されるとともに、裏機構盤２００によりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂと、ワープ入球口５８と、多数の障害釘６０等と、がそれぞれ配設されている。
【００２９】
中央装置５４は、遊技領域２８の略中央部に配置されており、演出図柄表示装置６２と、センター役物６４と、ランプ装置６６と、を備えている。
【００３０】
演出図柄表示装置６２は、主制御基板（遊技制御基板）１０２（図５参照）やサブ制御基板１０６（図５参照）からの制御信号に基づいて表示制御されており、略長方形状の表示面（表示領域）を有している。この表示面上には、特別図柄の演出図柄が表示される。具体的には、演出図柄表示装置６２の表示面上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００３１】
演出図柄表示装置６２は、遊技球が始動口５６Ｂに入球することにより、その表示面の表示領域に表示される各演出図柄をそれぞれ変動させて停止表示させるものである。そして、例えば、演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００３２】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３３】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００３４】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３５】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００３６】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００３７】
また、遊技領域の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００３８】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００３９】
また、演出図柄表示装置６２の左側には、普通図柄作動ゲート７８が配置されている。この普通図柄作動ゲート７８の内部には、ゲートスイッチ１２４（図５参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００４０】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００４１】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図５参照）と、翼片部材５６Ａを作動させるための始動口ソレノイド１３０（図５参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００４２】
変動入賞装置８０は、始動口５６Ｂの下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図５参照）と、入賞球を検知するカウントスイッチ１２６（図５参照）と、を備えている。
【００４３】
また、中央装置５４の左側下方部には、風車６３が配置されている。さらに、遊技領域の左側下方部及び右側下方部には、一対のサイドランプ９０がそれぞれ配置されている。
【００４４】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００４５】
ここで、図４に示すように、遊技盤２６の裏面には、主制御基板１０２を収容した主制御基板ケースセット（遊技制御基板収容部材）２１０と、サブ制御基板１０６を収容したサブ制御基板収容セット２１２と、がそれぞれ取り付けられている。主制御基板ケースセット２１０の詳細な構成については、後述する。
【００４６】
次に、パチンコ機１０を構成する電子制御装置について説明する。
【００４７】
図５及び図６に示すように、電子制御装置は、主制御基板１０２と、払出制御基板１０４と、サブ制御基板１０６と、発射制御基板１０８と、を備えている。
【００４８】
図５に示すように、主制御基板１０２は、ＣＰＵ１０２Ａと、ＲＯＭ１０２Ｂと、を備えている。
【００４９】
また、主制御基板１０２のＣＰＵ１０２Ａは、ＲＯＭ１０２Ｂに記憶されたデータに基づいて、始動口ソレノイド１３０、大入賞口ソレノイド１３２、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００５０】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００５１】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００５２】
そして、ＣＰＵ１０２Ａは、上述した演出図柄の変動表示及び停止表示の制御を行うサブ制御基板１０６や、盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００５３】
主制御基板１０２のＲＯＭ１０２Ｂには、ＣＰＵ１０２Ａにより実行される遊技全体の制御を実現するためのプログラムが記憶されている。
【００５４】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００５５】
また、主制御基板１０２は、中継端子板１２８を介して、始動口ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００５６】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００５７】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００５８】
図５及び図６に示すように、サブ制御基板１０６は、演出表示基板１１０と、アンプ基板１１２と、装飾駆動基板１１４と、演出ボタン基板１１６と、にそれぞれ電気的に接続されている。
【００５９】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００６０】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００６１】
ＲＯＭ１０６Ｂには、各基板の制御に必要なデータ（特に遊技の装飾に関する情報）が記憶されている。
【００６２】
図６に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される演出図柄のデータ（画像データ）が記憶されている。なお、演出図柄表示装置６２は、演出表示装置１６６の一実施形態である。
【００６３】
また、アンプ基板１１２には、所定の効果音を出力する各種スピーカ１７０（４８）が電気的に接続されている。なお、サブスピーカ４８は、各種スピーカ１７０の一実施形態である。
【００６４】
また、装飾駆動基板１１４には、各種ＬＥＤ・ランプ１７２（６６）が電気的に接続されている。また、装飾駆動基板１１４は、サブ制御基板１０６からの制御信号を受けて遊技の装飾に関する制御を行うものである。特に、装飾駆動基板１１４は、サブ制御基板１０６からの制御信号に基づいて、各ランプ装置６６の発光を制御する。また、演出ボタン基板１１６には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００６５】
次に、主制御基板ケースセット２１０の詳細な構成について説明する。
なお、払出制御基板ケースセット２０２の構成については、主制御基板ケースセット２１０の構成と同様であるため、説明を省略する。また、サブ制御基板ケースセット２１２、発射制御基板ケースセット２０４及び電源基板ケースセット２０８については、不正対策の必要性が低く、単に係合させるだけの簡略な構成が採用されているため、説明を省略する。
【００６６】
図７乃至図１０に示すように、主制御基板ケースセット２１０は、基板ケース（収容部材本体）２１４と、ケースカバー（収容部材蓋体）２１６と、基板ケース２１４とケースカバー２１６との接合状態を維持させるピン部材（固着具）２１８と、で構成されている。
【００６７】
基板ケース２１４は、内部で主制御基板１０２を保持するためのケースであり、無色透明の樹脂で構成されている。基板ケース２１４の外側表面には、無色透明の樹脂製の第１フランジ部（第１鍔部材）２２０が一体形成されている。この第１フランジ部２２０には、ピン部材２１８が挿入される第１挿入孔（第１孔部）２２２が第１フランジ部２２０（基板ケース２１４）の厚み方向に延びるように形成されている。この第１挿入孔２２２の径（直径）は、ピン部材２１８を構成する後述のスプリングピン（筒状部材）２３２の径（直径）よりも若干小さく設定されている。図１３に示すように、スプリングピン２３２とキャップ部材２３４とが組み付けられて構成されたピン部材２１８を第２挿入孔（第２孔部）２２６の開口部２２８から挿入すると、キャップ部材２３４の傘状部材（カバー部材）２４４が拡径孔部２２６Ａと縮径孔部２２６Ｂとの段違い部２３０に係合するとともに、スプリングピン２３２が第１挿入孔２２２に圧入される。
【００６８】
ケースカバー２１６は、基板ケース２１４に接合して基板ケース２１４との間で主制御基板１０２を囲むように覆う樹脂製で無色透明のカバーである。ケースカバー２１６の外側表面には、無色透明の樹脂製の第２フランジ部（第２鍔部材）２２４が一体形成されている。この第２フランジ部２２４には、ピン部材２１８が挿入される第２挿入孔２２６が第２フランジ部２２４（ケースカバー２１６）の厚み方向に貫通するように形成されている。この第２挿入孔２２６は、内径が比較的大きく設定された拡径孔部２２６Ａと、拡径孔部２２６Ａと連通し拡径孔部２２６Ａの径（直径）よりも小さな径の縮径孔部２２６Ｂと、で構成されている。拡径孔部２２６Ａの径（直径）は、ピン部材２１８を構成するスプリングピン２３２の径（直径）よりも大きく設定されており、かつピン部材２１８のキャップ部材２３４を構成する傘状部材２４４の径（直径）と略同じ径となるように設定されている。また、縮径孔部２２６Ｂの径（直径）は、キャップ部材２３４を構成する軸状部材（圧入部材）２４２の径（直径）と略同じ径か、あるいは若干小さい径（直径）となるように設定されている。図１３に示すように、スプリングピン２３２とキャップ部材２３４とが組み付けられて構成されたピン部材２１８を第２挿入孔２２６の開口部２２８（図１０参照）から内部に挿入すると、キャップ部材２３４の傘状部材２４４が拡径孔部２２６Ａと縮径孔部２２６Ｂとの段違い部２３０に係合するため、ピン部材２１８の第２挿入孔２２６の深さ方向（第２フランジ部２２４の厚み方向）へのさらなる移動（第２フランジ部２２４側へのさらなる移動）が阻止され、ピン部材２１８が第１挿入孔２２２及び第２挿入孔２２６の内部で位置決めされる。
【００６９】
ここで、基板ケース２１４とケースカバー２１６との接合方法について説明する。
【００７０】
図８及び図９に示すように、基板ケース２１４とケースカバー２１６とを対向させて、両者を接近させる。基板ケース２１４とケースカバー２１６とが接近して接触した状態では、基板ケース２１４の第１フランジ部２２０とケースカバー２１６の第２フランジ部２２４とが面接せず、相互に位置ずれした状態になっている。そして、図１０に示すように、基板ケース２１４の第１フランジ部２２０とケースカバー２１６の第２フランジ部２２４とが面接するように、基板ケース２１４又はケースカバー２１６の一方を他方に対してスライド移動させる。これにより、基板ケース２１４の第１フランジ部２２０とケースカバー２１６の第２フランジ部２２４とが面接して、第１挿入孔２２２と第２挿入孔２２６とが相互に連通した状態になる。換言すれば、基板ケース２１４とケースカバー２１６とが接合する。第１挿入孔２２２と第２挿入孔２２６とが相互に連通した状態になると、第１挿入孔２２２及び第２挿入孔２２６の開口部側からピン部材２１８を挿入（圧入）する。なお、このピン部材２１８の挿入（圧入）方法の詳細については、後述する。
【００７１】
次に、基板ケース２１４とケースカバー２１６との接合状態を維持させて両者を分離不可能にするピン部材２１８の構成について詳細に説明する。
【００７２】
図１１及び図１２に示すように、ピン部材２１８は、金属製のスプリングピン２３２と、スプリングピン２３２に組み付けられる樹脂製のキャップ部材２３４と、で構成されている。
【００７３】
スプリングピン２３２は、全体として円筒状に形成されており、軸方向に沿って延在するように形成された溝２３８を備えている。スプリングピン２３２は、溝２３８の部分で周方向に不連続となるように形成されている。このため、スプリングピン２３２に対して径方向内側に向かう圧力が作用すると、スプリングピン２３２の溝２３８を形成する不連続端部２４０、２４０同士が接近し、溝２３８が閉塞されて、スプリングピン２３２は、径方向内側に縮む（縮径する）。そして、スプリングピン２３２に作用していた径方向内側に向かう圧力が解除されると、スプリングピン２３２は、その弾性力により径方向外側に広がり、元の径（元の状態）に拡径する。換言すれば、スプリングピン２３２は、圧力が解除されると、自身の弾性力により、溝２３８を形成する不連続端部２４０、２４０同士が離間し、元の状態に戻る。このように、スプリングピン２３２は、外部から作用する圧力の大きさと自身の弾性力の大きさとの関係で、縮径したり、拡径したりする。
【００７４】
キャップ部材２３４は、スプリングピン２３２の内径側に圧入される樹脂製の軸状部材２４２と、軸状部材２４２の軸方向一方側端部に一体形成された樹脂製の傘状部材２４４と、で構成されている。
【００７５】
軸状部材２４２は、中実の円柱状に形成されている。軸状部材２４２の径は、通常時（圧力が作用していない状態）のスプリングピン２３２の径と略同じか、あるいは若干大きくなるように設定されている。
【００７６】
傘状部材２４４は、中実の三角錐状に形成されている。傘状部材２４４は、軸状部材２４２側から離間する方向に向かうにつれて略一定の割合で拡径するように形成されている。この傘状部材２４４の最小径は、軸状部材２４２の径と略同じ半径に設定されており、その最大径は、第２挿入孔２２６の拡径孔部２２６Ａの径と略同じか、あるいは若干小さくなるように設定されている。そして、傘状部材２４４は、軸状部材２４２がスプリングピン２３２の内径側に圧入された状態で、第１挿入孔２２２の開口部２３６を覆って閉塞する。
【００７７】
次に、ピン部材２１８の第１フランジ部２２０及び第２フランジ部２２４に対する取付方法について説明する。第１実施形態では、スプリングピン２３２にキャップ部材２３４を組み付けた状態で、ピン部材２１８を第１挿入孔２２２及び第２挿入孔２２６に挿入する方法について説明する。
【００７８】
図８乃至図１０に示す工程を経て、基板ケース２１４の第１フランジ部２２０とケースカバー２１６の第２フランジ部２２４とを面接させ、第１挿入孔２２２と第２挿入孔２２６とを連通させる。これにより、第１挿入孔２２２と第２挿入孔２２６の縮径孔部２２６Ｂとが接続して、１つの連通孔になる。
【００７９】
次に、図１１乃至図１３に示すように、スプリングピン２３２の内径側にキャップ部材２３４の軸状部材２４２を圧入させて組み付けたピン部材２１８を第２挿入孔２２６の開口部２２８（図１０参照）から挿入する。ここで、スプリングピン２３２の内径側にキャップ部材２３４の軸状部材２４２を圧入した状態では、スプリングピン２３２には、軸状部材２４２から径方向外側に向かう圧力が作用することになるが、金属製のスプリングピン２３２の強度が樹脂製の軸状部材２４２の強度よりも大きいため、スプリングピン２３２が拡径せず、軸状部材２４２がスプリングピン２３２から作用する反作用力により弾性変形して縮径した状態になっている。このため、キャップ部材２３４をスプリングピン２３２から容易に引き抜くことができなくなる。
【００８０】
上記構成のピン部材２１８を、スプリングピン２３２を先方にしてキャップ部材２３４の傘状部材２４４を後方にした状態で、第２挿入孔２２６の拡径孔部２２６Ａの開口部２２８側から挿入していくと、拡径孔部２２６Ａの径がキャップ部材２３４の傘状部材２４４の最大径と同等以上の大きさなので、ピン部材２１８は容易に挿入される。やがて、スプリングピン２３２の先端部が第２挿入孔２２６の縮径孔部２２６Ｂに到達する。ここで、縮径孔部２２６Ｂの半径は、スプリングピン２３２の径よりも若干小さく設定されているため、スプリングピン２３２が縮径孔部２２６Ｂに圧入されることになる。スプリングピン２３２が縮径孔部２２６Ｂに圧入されると、スプリングピン２３２の外周面には縮径孔部２２６Ｂから径方向内側に向かう所定の圧力が作用する。スプリングピン２３２の外周面に縮径孔部２２６Ｂから所定の圧力が作用すると、スプリングピン２３２の溝２３８が閉塞されるように、スプリングピン２３２が縮径する。このとき、スプリングピン２３２の内部には、キャップ部材２３４の軸状部材２４２が介在しているが、軸状部材２４２の外周面には、スプリングピン２３２の縮径に伴ってスプリングピン２３２の内周面から所定の圧力が作用するため、軸状部材２４２も弾性変形してさらに縮径した状態になる。このように、スプリングピン２３２は、縮径孔部２２６Ｂから所定の圧力を受けながら縮径した状態で、縮径孔部２２６Ｂに圧入されていく。
【００８１】
さらに、ピン部材２１８を挿入していくと、スプリングピン２３２が第１挿入孔２２２の開口部２３６（図１０参照）から内部に圧入される。第１挿入孔２２２の径は、スプリングピン２３２の径よりも小さく設定されているため、スプリングピン２３２の外周面には、第１挿入孔２２２から径方向内側に向かう所定の圧力が作用する。これにより、スプリングピン２３２を縮径孔部２２６Ｂに圧入するときと同様にして、スプリングピン２３２は、縮径した状態で、第１挿入孔２２２に圧入されていく。スプリングピン２３２が完全に圧入された状態では、スプリングピン２３２、第１挿入孔２２２から第２挿入孔２２６の縮径孔部２２６Ｂにかけて介在した状態になっており、基板ケース２１４とケースカバー２１６とを接続する機能を有している。
【００８２】
スプリングピン２３２が第１挿入孔２２２に圧入されていくと、やがてキャップ部材２３４の傘状部材２４４が第２挿入孔２２６の拡径孔部２２６Ａと縮径孔部２２６Ｂとの境界部に形成された段違い部２３０に係合して、ピン部材２１８のそれ以上の挿入が不可能になる。これにより、ピン部材２１８が第１挿入孔２２２から第２挿入孔２２６の拡径孔部２２６Ａにわたって介在して位置決めされた状態になり、かつピン部材２１８が第１挿入孔２２２及び第２挿入孔２２６から取り出し不可能な状態になる。この結果、基板ケース２１４とケースカバー２１６との接合状態が、圧入されたピン部材２１８により維持されている。
【００８３】
以上のように、第１実施形態では、ピン部材２１８を構成する金属製のスプリングピン２３２が、第１挿入孔２２２及び第２挿入孔２２６の縮径孔部２２６Ｂに圧入された状態になっているため、スプリングピン２３２の引き抜きが困難になる。これにより、ピン部材２１８の取り出しが不可能になるため、内部に収容されている主制御基板１０２に対する不正行為を防止できる。
【００８４】
また、スプリングピン２３２の内径側には、キャップ部材２３４の軸状部材２４２が圧入されており、かつ、キャップ部材２３４の傘状部材２４４が第１挿入孔２２２の開口部２３６を覆うように構成されているため、スプリングピン２３２を第１挿入孔２２２及び第２挿入孔２２６から取り出す前には、キャップ部材２３４をスプリングピン２３２から取り出す必要が生じる。ここで、キャップ部材２３４は、金属と比較して強度の低い樹脂で構成されているため、スプリングピン２３２に圧入されているキャップ部材２３４を力まかせに強引に引き抜こうとすると、キャップ部材２３４の傘状部材２４４あるいは軸状部材２４２のいずれかの部位で容易に破断あるいは破損して、その痕跡が残ることになる。そして、キャップ部材２３４が破断あるいは破損した場合には、不正行為が行われた事実を容易かつ確実に発見することができる。
【００８５】
さらに詳細には、主制御基板１０２に対する不正行為の際に、キャップ部材２３４をスプリングピン２３２から取り出す場合には、傘状部材２４４を把持して、そのまま引き抜くか、あるいは傘状部材２４４を左右に捻りながら引き抜くことになる。傘状部材２４４をそのまま引き抜くと、強度の低い樹脂製の傘状部材２４４及び軸状部材２４２に大きな引張応力が作用して、傘状部材２４４又は軸状部材２４２のいずれかの部位で破断や破損が生じるため、主制御基板１０２に対する不正行為がし難くなる。
【００８６】
その一方で、傘状部材２４４を左右に捻った場合には、傘状部材２４４及び軸状部材２４２にはねじりモーメントが作用して、傘状部材２４４又は軸状部材２４２のいずれかの部位が捻断するため、主制御基板１０２に対する不正行為がし難くなる。この結果、主制御基板１０２に対する不正行為を防止することができる上に、不正行為を未然に諦めさせる抑止力の効果も発揮させることができる。
【００８７】
さらに、スプリングピン２３２の内径側には、破断あるいは破損したキャップ部材２３４の残骸が残り、その残骸でスプリングピン２３２の内径が塞がるため、スプリングピン２３２の第１挿入孔２２２及び第２挿入孔２２６からの取り外しがさらに困難になり、主制御基板１０２を取り出すことができなくなる。
【００８８】
（第２実施形態）
次に、本発明の第２実施形態に係るパチンコ機について説明する。
なお、第１実施形態に係るパチンコ機１０と同様の構成については、同符号を付すとともに、その説明を省略する。
【００８９】
第２実施形態は、第１実施形態と比較して、ピン部材２１８の第１挿入孔２２２及び第２挿入孔２２６に対する挿入方法が異なるものである。
【００９０】
すなわち、図１４に示すように、先ず、ピン部材２１８を構成するスプリングピン２３２のみを第１挿入孔２２２及び第２挿入孔２２６に圧入する。このとき、スプリングピン２３２は、第２挿入孔２２６の拡径孔部２２６Ａの開口部２２８から内部に挿入し、縮径孔部２２６Ｂ及び第１挿入孔２２２に圧入される。これにより、スプリングピン２３２の外周面には、縮径孔部２２６Ｂ及び第１挿入孔２２２から所定の圧力が反作用力として作用し、スプリングピン２３２は縮径する。
【００９１】
スプリングピン２３２が縮径孔部２２６Ｂ及び第１挿入孔２２２に圧入され縮径した状態になると、次に、図１５に示すように、キャップ部材２３４を第１挿入孔２２２及び第２挿入孔２２６に圧入する。このとき、キャップ部材２３４の軸状部材２４２がスプリングピン２３２の内径側に圧入されるとともに、傘状部材２４４が段違い部２３０に係合して、ピン部材２１８が位置決めされる。
【００９２】
第２実施形態のピン部材２１８の挿入方法は、スプリングピン２３２の挿入工程と、キャップ部材２３４の挿入工程の２つの工程が必要になるものの、各工程では単一の部材を挿入することになるため、挿入工程時にスプリングピン２３２又はキャップ部材２３４の一方が他方に対して位置ずれすることを防止できる、これにより、挿入作業が容易になる。この結果、ピン部材２１８を第１挿入孔２２２及び第２挿入孔２２６に確実に挿入することができ、ピン部材２１８の挿入状態を良好なものにすることができる。
【００９３】
（第３実施形態）
次に、本発明の第３実施形態に係るパチンコ機について説明する。
なお、第１実施形態に係るパチンコ機１０と同様の構成については、同符号を付すとともに、その説明を省略する。
【００９４】
第３実施形態は、図１６及び図１７に示すように、ピン部材２１８のスプリングピン２３２が第１挿入孔２２２及び第２挿入孔２２６の内部で拡径して径方向外側に広がるとともに、拡径したときに第１挿入孔２２２に形成された係合片（係合部材）２５０と係合し、スプリングピン２３２の引き抜きが係合片２５０により阻止されるものである。
【００９５】
すなわち、図１６に示すように、第１挿入孔２２２の内周面には、径方向内側に突出した係合片２５０が縮径孔部２２６Ｂの内周にわたって連続するように形成されている。また、スプリングピン２３２には、スプリングピン２３２が第１挿入孔２２２及び第２挿入孔２２６の縮径孔部２２６Ｂに完全に圧入されたときに、係合片２５０が貫通する貫通孔２５２が形成されている。なお、係合片２５０の突出長さは、スプリングピン２３２の肉厚程度が好ましい。
【００９６】
ピン部材２１８を第１挿入孔２２２及び第２挿入孔２２６に挿入するときに、スプリングピン２３２の外周面には係合片２５０から径方向内側に向かう所定の圧力が作用して、スプリングピン２３２が縮径する。このとき、スプリングピン２３２は、係合片２５０の突出長さ分だけ余計に縮径するため、スプリングピン２３２の縮径量が大きくなる。
【００９７】
図１７に示すように、スプリングピン２３２が完全に圧入されると、係合片２５０が貫通孔２５２に進入するため、スプリングピン２３２の外周面に作用していた係合片２５０からの圧力が解除される。これにより、スプリングピン２３２の弾性力により拡径して元の状態に戻ろうとする。スプリングピン２３２が拡径していくと、係合片２５０が貫通孔２５２を貫通していくとともに、スプリングピン２３２の外周面が第２挿入孔２２６の縮径孔部２２６Ｂと第１挿入孔２２２の内周面に接触して、スプリングピン２３２の拡径動作が停止する。同時に、スプリングピン２３２が係合片２５０と係合する。
【００９８】
なお、第３実施形態においても、ピン部材２１８を第１挿入孔２２２及び第２挿入孔２２６に挿入する際には、スプリングピン２３２にキャップ部材２３４を組み付けた状態で挿入する方法でもよく、また、先ず、スプリングピン２３２のみを挿入した後、続いて、スプリングピン２３２の内径側にキャップ部材２３４のみを圧入するようにしてもよい。
【００９９】
以上のように、第３実施形態によれば、スプリングピン２３２が圧入後に、拡径して係合片２５０と係合するため、スプリングピン２３２をひとたび圧入すると、スプリングピン２３２を第１挿入孔２２２から引き出すことが不可能になる。また、スプリングピン２３２と係合片２５０とが係合しているため、基板ケース２１４とケースカバー２１６を反対方向に引っ張り分離させようとしても、分離させることができない。このため、主制御基板１０２を取り出して実行される不正行為を防止できる。一方、基板ケース２１４に収容されている主制御基板１０２を取り出す場合には、基板ケース２１４、あるいはケースカバー２１６を破壊しなければならないが、破壊すると、その痕跡が残るため、不正行為を容易に発見することができる。
【０１００】
（第４実施形態）
次に、本発明の第４実施形態に係るパチンコ機について説明する。
なお、第１実施形態に係るパチンコ機１０と同様の構成については、同符号を付すとともに、その説明を省略する。
【０１０１】
第４実施形態は、図１８及び図１９に示すように、キャップ部材２１８の傘状部材２４４又は軸状部材２４２に、低強度部（応力集中部）となる切溝部２６０が形成されており、キャップ部材２３４を力任せに引き抜いたり、左右に捻れば、切溝部２６０に応力が集中して、容易に破断するようになっている。
【０１０２】
具体的には、図１８に示すように、キャップ部材２３４の軸状部材２４２と傘状部材２４４との接続部位に、軸状部材２４２の外周方向に延在した複数の切溝部２６０が形成されている。なお、切溝部２６０は、キャップ部材２３４の軸状部材２４２と傘状部材２４４との接続部位に形成されている構成に限られるものではなく、例えば、傘状部材２４４に形成されていてもよい。
【０１０３】
第４実施形態によれば、図１９に示すように、スプリングピン２３２の内径側にキャップ部材２３４が圧入された状態で、キャップ部材２３４を把持してそのまま引き抜いたり、あるいは左右に捻ろうとすると、キャップ部材２３４の切溝部２６０で応力が集中し、その部位で破断し易くなる。このため、キャップ部材２３４に作用する僅かな力でキャップ部材２３４を破断させることができる。この結果、不正行為の痕跡を確実に残すことができるとともに、スプリングピン２３２の内部にキャップ部材２３４の残骸が残ることになり、不正行為の完遂を防止できる。
【０１０４】
なお、上記各実施形態では、本発明を、主制御基板１０２を収容する主制御基板ケースセット２１０に適用した構成を例に挙げて説明したが、この構成に限られるものではなく、サブ制御基板ケースセット２１２、払出制御基板ケースセット２０２、発射制御基板ケースセット２０４及び電源基板ケースセット２０８など、他の遊技に関連する基板を収容するケースにも容易に適用することができる。
【図面の簡単な説明】
【０１０５】
【図１】本発明の第１実施形態に係る遊技機の正面図である。
【図２】本発明の第１実施形態に係る遊技機の背面図である。
【図３】本発明の第１実施形態に係る遊技機の遊技盤の正面図である。
【図４】本発明の第１実施形態に係る遊技機の遊技盤の背面図である。
【図５】本発明の第１実施形態に係る遊技機の電子制御装置の一部の構成を示すブロック図である。
【図６】本発明の第１実施形態に係る遊技機の電子制御装置を構成するサブ制御基板を説明するための説明図である。
【図７】本発明の第１実施形態に係る遊技機の遊技制御基板収容部材の斜視図である。
【図８】本発明の第１実施形態に係る遊技機の遊技制御基板収容部材の収容部材本体と収容部材蓋体とを対向させた状態の側面図である。
【図９】本発明の第１実施形態に係る遊技機の遊技制御基板収容部材の収容部材本体又は収容部材蓋体のスライド前の状態の側面図である。
【図１０】本発明の第１実施形態に係る遊技機の遊技制御基板収容部材の収容部材本体の第１鍔部材と収容部材蓋体の第２鍔部材とを面接させた状態（収容部材本体と収容部材蓋体との接合状態）の側面図である。
【図１１】本発明の第１実施形態に係る遊技機の遊技制御基板収容部材の固着具の断面図である。
【図１２】本発明の第１実施形態に係る遊技機の遊技制御基板収容部材の固着具の正面図である。
【図１３】本発明の第１実施形態に係る遊技機の遊技制御基板収容部材の固着具が第１鍔部材の第１孔部及び第２鍔部材の第２孔部に圧入された状態の断面図である。
【図１４】本発明の第２実施形態に係る遊技機の遊技制御基板収容部材の固着具を構成する筒状部材のみが第１鍔部材の第１孔部及び第２鍔部材の第２孔部に圧入された状態の断面図である。
【図１５】本発明の第２実施形態に係る遊技機の遊技制御基板収容部材の固着具のキャップ部材が筒状部材に圧入された状態の断面図である。
【図１６】本発明の第３実施形態に係る遊技機の遊技制御基板収容部材の固着具が第１鍔部材の第１孔部及び第２鍔部材の第２孔部に圧入された状態（筒状部材と係合部材とが係合する前の状態）の断面図である。
【図１７】本発明の第３実施形態に係る遊技機の遊技制御基板収容部材の固着具が第１鍔部材の第１孔部及び第２鍔部材の第２孔部に圧入された状態（筒状部材と係合部材とが係合した後の状態）の断面図である。
【図１８】本発明の第４実施形態に係る遊技機の遊技制御基板収容部材の固着具の断面図である。
【図１９】本発明の第４実施形態に係る遊技機の遊技制御基板収容部材の固着具が第１鍔部材の第１孔部及び第２鍔部材の第２孔部に圧入された状態の断面図である。
【符号の説明】
【０１０６】
１０        パチンコ機（遊技機）
１０２      主制御基板（遊技制御基板）
２１０      主制御基板ケースセット（遊技制御基板収容部材）
２１４      基板ケース（収容部材本体）
２１６      ケースカバー（収容部材蓋体）
２１８      ピン部材（固着具）
２２０      第１フランジ部（第１鍔部材）
２２２      第１挿入孔（第１孔部）
２２４      第２フランジ部（第２鍔部材）
２２６      第２挿入孔（第２孔部）
２３２      スプリングピン（筒状部材）
２３４      キャップ部材
２４２      軸状部材（圧入部材）
２４４      傘状部材（カバー部材）
２５０      係合片（係合部材）
【図１】
2009165644.tif 000003
【図２】
2009165644.tif 000004
【図３】
2009165644.tif 000005
【図４】
2009165644.tif 000006
【図５】
2009165644.tif 000007
【図６】
2009165644.tif 000008
【図７】
2009165644.tif 000009
【図８】
2009165644.tif 000010
【図９】
2009165644.tif 000011
【図１０】
2009165644.tif 000012
【図１１】
2009165644.tif 000013
【図１２】
2009165644.tif 000014
【図１３】
2009165644.tif 000015
【図１４】
2009165644.tif 000016
【図１５】
2009165644.tif 000017
【図１６】
2009165644.tif 000018
【図１７】
2009165644.tif 000019
【図１８】
2009165644.tif 000020
【図１９】
2009165644.tif 000021